(57)【要約】      （修正有）【課題】小さな力で確実に閉じ切る又は開き切ることができる引戸装置を提供する。【解決手段】引戸装置１は、枠と引戸５の間に引戸の開閉方向の移動量を検知するトリガー７ａ、７ｂが設けてあり、引戸５は、スパイラルロッド９と、ダンパー１１と、スパイラルロッド規制部１３ａ、１３ｂと、ダンパー規制部１５ａ、１５ｂとを備え、引戸５が開閉方向の一方向に所定量移動したときに、スパイラルロッド規制部１３ａ、１３ｂがスパイラルロッド９の回転を規制すると共に、ダンパー規制部１５ａ、１５ｂがダンパー１１の回転を規制し、引戸５が所定量より開閉方向の一方向に移動しようとしたときに、スパイラルロッド規制部１３ａ、１３ｂがスパイラルロッド９の回転規制を解除するか若しくはダンパー規制部１５ａ、１５ｂがダンパー１１の回転規制を解除することを特徴とする引戸装置。【選択図】図１
2020066945.tif 000002
【特許請求の範囲】
【請求項１】
枠と、引戸とを備え、枠と引戸の間に引戸の開閉方向の移動量を検知するトリガーが設けてあり、引戸は、スパイラルロッドと、ダンパーと、スパイラルロッド規制部と、ダンパー規制部とを備え、スパイラルロッドは、引戸の開閉方向に設けたものであり、ダンパーは、スパイラルロッドが回転自在に挿通するものであり、スパイラルロッド規制部は、スパイラルロッドの回転を規制するものであり、ダンパー規制部は、ダンパーの回転を規制するものであり、引戸が開閉方向の一方向に所定量Ｘ１移動したときに、スパイラルロッド規制部がスパイラルロッドの回転を規制すると共に、ダンパー規制部がダンパーの回転を規制し、引戸が所定量Ｘ１より開閉方向の一方向に移動しようとしたときに、スパイラルロッド規制部がスパイラルロッドの回転規制を解除するか若しくはダンパー規制部がダンパーの回転規制を解除することを特徴とする引戸装置。
【発明の詳細な説明】
【技術分野】
【０００１】
本発明は、引戸装置に関する。
【背景技術】
【０００２】
非特許文献１には、障子と枠との間にダンパーを設けて、障子を閉じるときにブレーキをかけることが開示されている。
【先行技術文献】
【非特許文献】
【０００３】
【非特許文献１】第４５頁「住宅建材／インテリア  ＬｉＶＥＲＮＯ／リヴェルノ」カタログＮｏ．ＳＴＪ１３８８Ｂ  三協立山株式会社  三協アルミ社  ２０１８年４月発行
【発明の概要】
【発明が解決しようとする課題】
【０００４】
しかし、非特許文献１の技術では、引戸を閉じたり開くとき、ダンパーによって常に引戸が動く方向と逆方向の抵抗がかかるため、確実に閉じ切る又は開き切るときの力を大きくする必要があるため、小さな力で確実に閉じ切る又は開き切るものが求められていた。
【０００５】
そこで、本発明は、小さな力で確実に閉じ切る又は開き切ることができる引戸装置の提供を目的とする。
【課題を解決するための手段】
【０００６】
請求項１に記載の発明は、枠と、引戸とを備え、枠と引戸の間に引戸の開閉方向の移動量を検知するトリガーが設けてあり、引戸は、スパイラルロッドと、ダンパーと、スパイラルロッド規制部と、ダンパー規制部とを備え、スパイラルロッドは、引戸の開閉方向に設けたものであり、ダンパーは、スパイラルロッドが回転自在に挿通するものであり、スパイラルロッド規制部は、スパイラルロッドの回転を規制するものであり、ダンパー規制部は、ダンパーの回転を規制するものであり、引戸が開閉方向の一方向に所定量Ｘ１移動したときに、スパイラルロッド規制部がスパイラルロッドの回転を規制すると共に、ダンパー規制部がダンパーの回転を規制し、引戸が所定量Ｘ１より開閉方向の一方向に移動しようとしたときに、スパイラルロッド規制部がスパイラルロッドの回転規制を解除するか若しくはダンパー規制部がダンパーの回転規制を解除することを特徴とする引戸装置である。
【発明の効果】
【０００７】
請求項１に記載の発明によれば、スパイラルロッドやダンパーの回転を規制したり規制の解除を切り替えることで、引戸が開閉方向一方に所定量（Ｘ１）動いたときにダンパーが作動したり、所定量（Ｘ１）より開閉方向一方に移動しようとしたときはダンパーが作動しないようにすることができる。
これにより、引戸を閉じ切る直前又は開き切る直前にはブレーキを作用させながら、小さな力で確実に閉じ切り又は開き切ることができる。
【図面の簡単な説明】
【０００８】
【図１】本発明の実施の形態にかかる引戸装置の図であって、（ａ）は図７に示すＥ−Ｅ断面の概略図、（ｂ）は図７に示すＦ−Ｆ断面の概略図であり、（ｃ）は図１（ｂ）に示す戸先側ガイドエンドを抜き出して示す正面図、（ｄ）は図１（ｂ）に示す戸尻側ガイドエンドを抜き出して示す正面図である。
【図２】図１に示すダンパー規制部が規制解錠位置にあるときの概略構成を示す図であり、（ａ）は室内側から見た正面図、（ｂ）は（ａ）に示すＡ−Ａ断面図であり、（ｃ）は他方のダンパー規制部とダンパー側端部との関係を示した側面図である。
【図３】図１に示すダンパー規制部が規制位置にあるときの概略構成を示す図であり、（ａ）は室内側から見た正面図、（ｂ）は（ａ）に示すＡ−Ａ断面図である。
【図４】ダンパー規制部及びスパイラルロッド規制部を構成する各部品の正面図であり、（ａ）〜（ｃ）は一方のダンパー規制部の部品であり、（ａ）は第１スライダー、（ｂ）は第２スライダー、（ｃ）は第３スライダー、（ｄ）〜（ｆ）は一方のスパイラルロッド規制部の部品であり、（ｄ）は第１スライダー、（ｅ）は第２スライダー、（ｆ）は第３スライダーである。
【図５】本実施の形態にかかる引戸装置を全閉状態から開動作の各状態を示す側面図であって、（ａ）は全閉時、（ｂ）は半開時、（ｃ）は開方向にＸ１移動したときの図である。
【図６】本実施の形態にかかる引戸装置を全開状態から閉動作の各状態を示す側面図であって、（ｄ）は全開時、（ｅ）は半開時、（ｆ）は閉方向にＸ１移動したきの図である。
【図７】図９のＧ−Ｇ断面図であって、ハンドルを除いて示す図である。
【図８】図９のＨ−Ｈ断面図であって、ハンドルを除いて示す図である。
【図９】本発明の実施の形態にかかる引戸装置を室外側から見た正面図である。
【発明を実施するための形態】
【０００９】
以下に、添付図面を参照して、本発明の実施形態を説明する。
図８及び図９に示すように、本発明の実施形態にかかる引戸装置１は、枠３と引戸５とを備えており、引戸５は枠３に対して開閉方向にスライド自在である。図８及び図９に示す状態では、引戸５は閉じた状態である。枠３は、上枠３ａと、戸先枠３ｂと、戸尻枠３ｃとを備えている。
図１に示すように、上枠（枠）３ａと引戸５との間には、引戸５の開閉方向の移動量を検知する戸先側トリガー７ａ、戸尻側トリガー７ｂが設けてある。各トリガー７ａ、７ｂは、上枠３ａに取り付けてあり、引戸５側に向けて突設してある。図９に示すように、戸先側トリガー７ａは、引戸５を閉じ方向にＸ１移動した位置に設けてあり、戸尻側トリガー７ｂは、引戸５を開き方向にＸ１移動した位置に設けてある。Ｘ１は、任意の数値ｍｍである。
更に、図１に示すように、上枠３ａと引戸５との間には、スパイラルロッド９と、ダンパー１１と、スパイラルロッド規制部１３ａ、１３ｂと、ダンパー規制部１５ａ、１５ｂとが設けられている。
スパイラルロッド規制部１３ａ、１３ｂは、一方のスパイラルロッド規制部１３ａと他方のスパイラルロッド規制部１３ｂである。同様に、ダンパー規制部１５ａ、１５ｂは、一方のダンパー規制部１５ａと、他方のダンパー規制部１５ｂである。
【００１０】
上枠３ａと引戸５との間に設けた上記構成部材のうち、ダンパー１１と、一方のダンパー規制部１５ａは戸先側に配置したダンパー規制ユニット２ａに配置されており、スパイラルロッド９の戸尻側端部９ａと他方のスパイラルロッド規制部１３ｂは戸尻側に設けたロッド規制ユニット２ｂに配置されている。他方のダンパー規制部１５ｂと他方のスパイラルロッド規制部１３ｂは引戸５の上端に固定されており、スパイラルロッド９はダンパー規制ユニット２ａとロッド規制ユニット２ｂとに亘って長く配置されている。また、他方のダンパー規制部１５ｂの戸先側には戸先側ガイドエンド２４ａが引戸５の上端に固定されており、他方のスパイラルロッド規制部１３ｂの戸尻側には戸尻側ガイドエンド２４ｂが引戸５の上端に固定されている。
図１（ｃ）（ｄ）に示すように、各ガイドエンド２４ａ、２４ｂには、それぞれ対応するフック２２ａ、２２ｂ（後述する）のピン２６が係止する係止部３８が形成されている。
【００１１】
ダンパー規制ユニット２ａとロッド規制ユニット２ｂとは、互いに相対的に移動自在であると共に、上枠３ａ及び引戸５とに対しても相対的に移動自在である。
図２に示すように、更にダンパー規制ユニット２ａには、戸先側フック２２ａが設けてあり、戸先側フック２２ａは、一端部が第１スライダー１７（後述する）に軸４１を介して回動自在に連結されており、他端部にはピン２６が固定してある。戸先側フック２２ａの軸４１は第１スライダー１７（後述する）に形成されている長孔４２を上下に移動自在になっている。
図１に示すように、ロッド規制ユニット２ｂには、戸尻側フック２２ｂ及び付勢部材３５が設けてある。ロッド規制ユニット２ｂの戸尻側フック２２ｂは、一端部がロッド規制ユニット２ｂに軸４１を介して回動自在に連結されており、他端部にはピン２６が固定してある。戸尻側フック２２ｂの軸４１はロッド規制ユニット２ｂに形成されている長孔４２を上下に移動自在になっている。
図５（ａ）（ｂ）に示すように、引戸５の上端には上方に突設した側板５ａが設けてあり、側板５ａは開閉方向に所定長さを有している。この側板５ａの上端に、戸先側フック２２ａ及び戸尻側フック２２ｂのピン２６が載置されており、各ピン２６は側板５ａの上端をスライド自在としてある。そして、各フック２２ａ、２２ｂのピン２６が側板５ａから外れると、軸４１を中心にして下方に回動する。
【００１２】
スパイラルロッド９は、螺旋状に形成した棒部材であって、引戸５の開閉方向に移動自在且つ回転自在に設けてある。スパイラルロッド９の戸尻側端部９ａには、ダンパー１１の筐体ａと同様な形状のロッド端部材３３（後述する）が固定されている。
図２に示すように、ダンパー１１は、スパイラルロッド９が回転自在に挿通するものであり、一方の端部１１ａと、他方の端部１１ｂと、一方及び他方の端部１１ａ、１１ｂ間に設けた中間部１１ｃとからなる筐体ａと、筐体ａの内部でスパイラルロッド９に係合する筐体ｂを有している。筐体ｂは円筒形状であり、筐体ｂには、スパイラルロッド９のスパイラル溝内に挿入される突起が上下に合計２箇所に設けてある。筐体ａと筐体ｂとの間には油が封入されており、筐体ｂは筐体ａに対して油圧により回転を制動するようになっている。
図２（ｂ）に示すように、一方及び他方の端部１１ａ、１１ｂは、外形が四角筒形状を成し、中間部１１ｃは円筒形状である。尚、一方及び他方の端部１１ａ、１１ｂは回転が規制されていないときには、筐体ａと筐体ｂとは一緒に回転する。
【００１３】
次に、一方及び他方のスパイラルロッド規制部１３ａ、１３ｂと、一方及び他方のダンパー規制部１５ａ、１５ｂについて説明するが、先に、一方及び他方のダンパー規制部１５ａ、１５ｂについて説明する。
一方及び他方のダンパー規制部１５ａ、１５ｂは、夫々ダンパー１１の回転を規制するものである。
まず、一方のダンパー規制部１５ａについて説明する。
図２及び図４（ａ）〜（ｃ）に示すように、一方のダンパー規制部１５ａは、第１スライダー１７、第２スライダー１８、第３スライダー１９で構成されている。尚、図４において、（ａ）〜（ｃ）が一方のダンパ規制部１５ａを構成する部品であり、（ｄ）〜（ｆ）は一方のスパイラルロッド規制部１３ａを構成する部品である。
図４（ａ）に示すように、第１スライダー１７は、上部１７ｂ（図２（ｂ）参照）と、上部１７ｂの室内側と室外側で、それぞれ引戸の開閉方向の一方及び他方に延出する側部１７ａを有し、各側部１７ａはダンパー１１を挟んだ室外側と室内側とに設けてある。各側部１７ａには、軸２１（図２参照）がスライド自在な一対の第１軸案内孔２３が形成されている。第１軸案内孔２３は長孔であり、正面視で右側を上にして傾斜されている。
図４（ｂ）に示すように、第２スライダー１８は、ダンパー１１の下方に位置する下部１８ｂ（図２（ｂ）参照）と、それぞれ開閉方向の一方と他方に延出する側部１８ａを有し、各側部１８ａは、ダンパー１１を挟んだ室外側と室内側とに設けてある。下部１８ｂと側部１８ａとは連結部１８ｃで連結されている。各側部１７ａには、軸２１（図２参照）がスライド自在な一対の第２軸案内孔２５が形成されており、第２軸案内孔２５は長孔であり、正面視で右側を下にして傾斜されている。
図４（ｃ）及び図２に示すように、第３スライダー１９は、戸先側に向けて突設する突設部１９ａと、バネ係止部１９ｃと、突設部１９ａとバネ係止部１９ｃとの間で開閉方向に延出する側部１９ｂを有し、側部１９ｂは、ダンパー１１を挟んだ室外側と室内側とに設けてある。側部１９ｂには、軸２１、２１がそれぞれ挿通される軸挿通孔２９が形成されている。
図２（ｂ）に示すように、第２スライダー１８の室内側及び室外側に配置された側部１８ａ、１８ａ間に第１スライダー１７の側部１７ａ、１７ａが配置してあり、第１スライダー１７の側部１７ａ、１７ａ間に第３スライダー１９の側部１９ｂ、１９ｂが位置し、各軸２１は第１スライダー１７の第１軸案内孔２３、第２スライダー１８の第２軸案内孔２５及び第３スライダー１９の軸挿通孔２９に挿通されている。
【００１４】
図２（ａ）（ｂ）に示すように、一方のダンパー規制部１５ａが開放状態にあるときには、図２（ａ）に示すように、軸２１は第１軸案内孔２３の下方位置と第２軸案内孔２５の上方位置とに位置し、図２（ｂ）に示すように、第３スライダー１９に対して、第２スライダー１８は相対的に下方に位置し、第１スライダー１７は相対的に上方に位置している。この状態では、第１スライダー１７の上部１７ｂと第２スライダー１８の下部１８ｂとの間隔が、ダンパー１１の他方の端部１１ｂの四角形の対角線の寸法よりも広く、ダンパー１１の一方及び他方の端部１１ａ、１１ｂは第１スライダー１７の上部１７ｂと第２スライダー１８の下部１８ｂとの間で自由に回転自在である。
また、第３スライダー１９のバネ係止部１９ｃには、バネ３１が係止してあり、第３スライダー１９を常時戸先側に付勢している。ダンパー開放状態では、第３スライダー１９の突設部１９ａは、トリガー７との間に隙間を空けた位置にある。
【００１５】
図３（ａ）（ｂ）に示すように、一方のダンパー規制部１５ａが規制状態にあるときには、図３（ａ）に示すように、第３スライダー１９はその突設部１９ａがバネ３１の付勢力に抗して、戸先側トリガー７ａに押されて第３スライダー１９が戸尻側に移動し、これにより軸２１を、戸尻側に移動することで、第３スライダー１９に対して相対的に第２スライダー１８が上方に移動し、第１スライダー１７が相対的に下方に移動する。
その結果、図３（ｂ）に示すように、第１スライダー１７の上部１７ｂと第２スライダー１８の下部１８ｂとの間隔が、ダンパー１１の一方の端部１１ａの四角形の対角線の寸法よりも狭くなり、ダンパー１１の筐体ａの回転が規制される。
【００１６】
図２（ａ）及び図２（ｃ）に示すように、他方のダンパー規制部１５ｂは、断面コ字形状を成し、コ字の開口を上にして引戸５の戸先側で引戸５の上端に固定されている。コ字状の他方のダンパー規制部１５ｂは対向する壁部１６ａ、１６ａ間の寸法が、ダンパー１１の他方の端部１１ｂの四角形の対角線の寸法よりも狭くしてあるので、他方のダンパー規制部１５ｂの対向する壁部１６ａ、１６ａ間にダンパー１１の他方の端部１１ｂが入り込むと、ダンパー１１の筐体ａの回転が規制される。
【００１７】
次に、一方のスパイラルロッド規制部１３ａと他方のスパイラルロッド規制部１３ｂについて説明するが、一方のスパイラルロッド規制部１３ａは上述した一方のダンパー規制部１５ａと略同様の構成であり、他方のスパイラルロッド規制部１３ｂは他方のダンパー規制部１５ｂと略同様の構成であるから、同一の作用効果を奏する部分には同一の符号を付して、その部分の詳細な説明を省略し、主に異なる点について説明する。
まず、スパイラルロッド規制部１３ａ、１３ｂが規制する被規制部について説明する。図１に示すように、スパイラルロッド９の戸尻側端部には、ロッド端部が固定されたロッド端部材（被規制部）３３が設けてあり、ロッド端部材３３はその戸先側に一方の端部３３ａが、戸尻側に他方の端部３３ｂが固定されている。一方及び他方の端部３３ａ、３３ｂは、ダンパー１１の一方及び他方の端部１１ａ、１１ｂと同様に側面視四角形状を成している（図２（ｃ）参照）。
【００１８】
一方のスパイラルロッド規制部１３ａは、上述した一方のダンパー規制部１５ａと同様に、第１スライダー１７、第２スライダー１８及び第３スライダー１９を組合わせて構成されており（図４（ｄ）〜（ｆ）参照）、第３スライダー１９は、その戸尻側端がバネ３１により、戸尻側に常時付勢されている。第３スライダー−１９の突設部１９ａが戸尻側に突設してあることが、一方のダンパー規制部１５ａの第３スライダー１９と異なっており、その他の構成は、一方のダンパー規制部１５ａと同一の構成である。尚、図４（ｄ）に示すように一方のスパイラルロッド規制部１３ａを構成する第１スライダー１７には付勢部材３５が取り付けるようになっており、また、図４（ｄ）（ｅ）に示すように、第１スライダー１７及び第２スライダー１８では各第１挿入孔２３及び第２挿入孔２５の傾斜の向きが、一方のダンパー規制部１５を構成する第１スライダー１７及び第２スライダー１８（図４（ａ）（ｂ）参照）と異なっている。また、図４（ｆ）で示す第３スライダー１９は突設部１９ａの形状が図４（ｃ）に示す第３スライダー１９と異なっている。
この一方のスパイラルロッド規制部１３ａによれば、一方のダンパー規制部１５ａと同様に、図５（ｃ）に示すように、戸尻側トリガー７ｂに第３スライダー１９の突設部１９ａが押されると、図５（ｃ）の（ウ）に示すように、第１スライダー１７の上部１７ｂと第２スライダー１８の下部１８ｂとの間隔が狭められて、スパイラルロッド９のロッド端部材３３の回転が規制される。
図１及び図２（ｃ）に示すように、他方のスパイラルロッド規制部１３ｂは、他方のダンパー規制部１５ｂと同様に、縦断面コ字形状を成し、コ字の開口を上にして引戸の戸尻側で引戸５の上端に固定されている。他方のスパイラルロッド規制部１３ｂは他方のダンパー規制部１５ｂと同様に対向する壁部１６ａ、１６ａ間の寸法が、ロッド端部材３３の一方の端部３３ａの対角線の寸法よりも狭くしてあるので、他方のスパイラルロッド規制部１３ｂは、他方のスパイラルロッド規制部１３ｂの対向する壁部１６ａ、１６ａ間に、ロッド端部材３３の他方の端部３３ｂが入り込むと、ロッド端部材３３と固定されたスパイラルロッド９の回転が規制される。
【００１９】
図１、５、６に示すように、付勢部材３５は、定荷重バネであり、先端部３５ａはダンパー規制ユニット２ａに固定してあり、基端はロッド規制ユニット２ｂに固定したロール３７に巻かれている。この付勢部材３５は、ばねの引き出し量にかかわらず、一定の荷重で先端部３５ａをロール３７側に付勢している。
【００２０】
次に、引戸５の開閉動作について、開き動作及び閉じ動作に分けて説明する。まず、開き動作について説明する。  
図９に示すように、引戸５が全閉状態にあるとき、図５（ａ）に示すように、戸先側フック２２ａは戸先側トリガー７ａに係合した状態であり、付勢部材３５はロール３７に最も巻かれた状態にある。
図５（ａ）の（ア）に示すように、他方のダンパー規制部１５ｂはダンパー１１から離れた位置にあると共に（イ）に示すように一方のダンパー規制部１５ａはダンパー１１の一方の端部１１ａを回転自在にしている。
図５（ａ）の（ウ）に示すように、一方のスパイラルロッド規制部１３ａはロッド端部材３３の端部３３ａを回転自在にしているが、（エ）に示すように、他方のスパイラルロッド規制部１３ｂは端部３３ａと係合した位置（図２（ｃ）参照）にあり、スパイラルロッド９の回転が規制されている。
この全閉状態では、ダンパー１１はスパイラルロッド９にブレーキを作用しない（制動しない）から、引戸５は自由に開くことができる。
一方、戸尻側フック２２ｂは、トリガー７ｂから外れた状態であり、戸尻側フック２２ｂは自重により、ピン２６側を下げた位置にあるので、戸尻側フック２２ｂのピン２６は戸尻側ガイドエンド２４ｂの係止部３８に係止されている。
したがって、ダンパー規制ユニット２ａはフック２２ａにより上枠３ａ取り付けられたトリガー7ａに係止された状態であり、ロッド規制ユニット２ｂは引戸５に固定された戸尻側ガイドエンド２４ｂに係止された状態となっている。換言すれば、ダンパー規制ユニット２ａは上枠３ａに係止され、ロッド規制ユニット２ｂは引戸５に係止されている。
そして、図５（ａ）の全閉状態から引戸５を戸尻側に引くと、戸先側フック２２ａは戸先側トリガー７ａに係止されたまま、引戸５と共にロッド規制ユニット２ｂが戸尻側に移動し、ダンパー規制ユニット２ａから離れると共に付勢部材３５がロール３７から引き出される。
【００２１】
そして、所定距離まで引戸５を開くと、図５（ｂ）に示す半開状態になる。半開状態になると、戸先側フック２２ａのピン２６が側板５ａから外れ、戸先側フック２２ａが回転して、戸先側フック２２ａのピン２６が戸先側ガイドエンド２４ａの係止部３８（図２（ｃ）参照）に係止する。これにより、ダンパー規制ユニット２ａは引戸５に係止された状態になり、ダンパー規制ユニット２ａ及びロッド規制ユニット２ｂは共に引戸５に係止される。
尚、半開状態では、ダンパー規制ユニット２ａは、付勢部材３５に抗して、ロッド規制ユニット２ｂから最も離れた位置になり、定荷重ばね１３は最も伸びた状態で、それぞれのユニット２ａ、２ｂが引戸５に保持される。
一方、図５（ｂ）に示す半開状態では、（ア）に示すように、ダンパー１１は他方のダンパー規制部１５ｂから離れた位置にあると共に（イ）に示すように一方のダンパー規制部１５ａに対してダンパー１１の一方の端部１１ａを回転自在にしており、（ウ）に示すように一方のスパイラルロッド規制部１３ａもロッド端部材３３を回転自在にしており、（エ）に示すように、他方のスパイラルロッド規制部１３ｂもロッド端部材３３から離れた位置にあるから、ダンパー１１及びスパイラルロッド９はいずれも回転が規制されず、自由状態である。
【００２２】
図９に示すように、半開状態のまま、引戸５を開き方向Ｘ１まで開くと、図５（ｃ）に示す状態になる。
この開方向にＸ１移動した位置では、図５（ｃ）の（イ）に示すように一方のダンパー規制部１５ａはダンパー１１の一方の端部１１ａの回転を自由にしているが、（ア）に示すように、引戸５に固定されている他方のダンパー規制部１５ｂがダンパー１１の他方の端部１１ｂに係合して、ダンパー１１の回転が規制される。
一方、この位置で戸尻側トリガー７ｂが一方のスパイラルロッド規制部１３ａの突設部１９ａを押して、一方のスパイラルロッド規制部１３ａを作動させ、（ウ）に示すように、一方のスパイルロッド規制部１５ａがロッド端部材３３の回転を規制する。尚、（エ）に示すように、ロッド端部材３３は他方のスパイラルロッド規制部１５ｂから離れた位置にある。同時に、戸尻側トリガー７ｂに戸尻側フック２２ｂが係合する。
このように、開き方向にＸ１移動した位置（全開直前位置）では、（ア）に示すようにダンパー１１の端部１１ｂが回転できず、（ウ）に示すようにロッド端部材３３の回転も規制されるので、スパイラルロッド９には、ダンパー１１の筐体ａと筐体ｂとの間で生じる油圧によるブレーキ（制動）が作用する。これにより、引戸５は一端停止される。
そして、一端停止した後、戸尻側トリガー７ｂに戸尻側フック２２ｂが係合したまま、付勢部材３５がその付勢力によりダンパー規制ユニット２ａを引戸５と共に戸尻側に引き寄せる。これにより、開方向にＸ１移動した位置（全開直前位置）から図６（ｄ）に示す全開状態になるまで、ハンドルを引かなくても引戸５は自動的に全開する。
【００２３】
次に、全開状態から全閉状態に引戸５を閉じる動作について説明する。
図６（ｄ）に示すように、全開状態では、付勢部材３５は最も縮んだ状態になる。（イ）に示すように、一方のダンパー規制部１５ａはダンパー１１の回転を自由にした状態であるが、（ア）に示すように、ダンパー１１の他方の端部１１ｂは他方のダンパー規制部１５ｂに係合して、ダンパー１１の回転が規制されている。一方、（ウ）（エ）に示すように、スパイラルロッド９のロッド端部材３３は、規制がなく、回転自由な状態である。この全開状態では、ダンパー１１の回転のみが規制されており、スパイラルロッド９は回転が自由であるから、ダンパー１１のブレーキ（制動）は作用しない。
一方、戸先側フック２２ａのピン２６は戸先側ガイドエンド２４ａの係止部３８に係止したままの状態であり、戸尻側フック２２ｂは戸尻側トリガー７ｂに係合した状態になっている。
この全開状態から引戸５を閉じ始めると、付勢部材３５がロール３７から引き出され始め、ダンパー規制ユニット２ａとロッド規制ユニット２ｂとが次第に離れ、所定距離閉じると、戸尻側フック２２ｂのピン２６が側板５ａから外れ、戸尻側フック２２ｂが回転して、戸尻側ガイドエンド２４ｂの係止部３８に係止され、図６（ｅ）に示す半開状態になる。
【００２４】
図６（ｅ）に示す半開状態では、図５（ｂ）に示す半開状態と同じ状態である。即ち、図６（ｅ）の（ア）に示すように、ダンパー１１は他方のダンパー規制部１５ｂから離れた位置にあると共に（イ）に示すように一方のダンパー規制部１５ａに対してダンパー１１の一方の端部１１ａを回転自在にしており、（ウ）に示すように一方のスパイラルロッド規制部１３ａもロッド端部材３３を回転自在にしており、（エ）に示すように、他方のスパイラルロッド規制部１３ｂもロッド端部材３３から離れた位置にあるから、引戸５にダンパー１１が作用せず引戸５の開閉は自由な状態である。
尚、ダンパー規制ユニット２ａは、付勢部材３５に抗してロッド規制ユニット２ｂから離れた位置になり、付勢部材３５は最も伸びた状態で保持されると共に、ダンパー規制ユニット２ａ及びロッド規制ユニット２ｂは、共に対応するフック２２ａ、２２ｂのピン２６がガイドエンド２４ａ、２４ｂの係止部３８に係止しており、引戸５に係止した状態になっている。
【００２５】
図６（ｆ）に示すように、半開状態のまま、引戸５を閉じ方向Ｘ１まで閉じると（図９参照）、全閉直前の状態になる。
この閉じ方向にＸ１移動した位置では、戸先側トリガー７ａが一方のダンパー規制部１５ａの第３スライド１９の突設部１９ａを押して、（イ）に示すように、一方のダンパー規制部１５ａを作動させ、ダンパー１１の回転を規制する。また、（エ）に示すように、他方のスパイルロッド規制部１５ｂがロッド端部材３３に係合して、ロッド端部材３３の回転を規制する。これにより、スパイラルロッド９の回転が規制されると共にダンパー１１の回転が規制されて、ダンパー１１によるブレーキが作用するので、引戸５は一端停止される。
尚、（ア）に示すように、引戸５に固定されている他方のダンパー規制部１５ｂはダンパー１１から離れて位置にあり、（ウ）に示すように、一方のスパイラルロッド規制部１３ａは、ロッド端部材３３の回転を規制しない位置にある。
【００２６】
更に、引戸５が閉じ方向にＸ１移動した位置（全閉直前）で一端停止された後、戸先側トリガー７ａと戸先側フック２２ａとが係合しているので、付勢部材３５がロール３７に巻かれるように縮んで、ダンパー規制ユニット２ａにロッド規制ユニット２ｂが引き寄せられて、ハンドルを引かなくても引戸５が自動的に閉じ、図５（ａ）に示す全閉状態になる。
【００２７】
本発明の実施形態にかかる引戸装置の作用効果について説明する。
図５及び図６に示すように、本発明の実施形態にかかる引戸装置１によれば、スパイラルロッド９やダンパー１１の回転を規制したり規制の解除を切り替えることで、引戸５が開閉方向一方に所定量Ｘ１動いたときにダンパー１１が作動したり、所定量Ｘ１より開閉方向一方に移動しようとしたときはダンパー１１が作動しないようにすることができる。
これにより、引戸５を閉じ切る直前又は開き切る直前にはブレーキを作用させながら、小さな力で確実に閉じ切り又は開き切ることができる。
【００２８】
スパイラルロッド９及びダンパー１１の回転の規制や解除は、枠３に取り付けたトリガー７ａ、７ｂで行うので、トリガー７ａ、７ｂの取付け位置を変えることで、任意の位置でスパイラルロッド９及びダンパー１１の回転規制や解除のタイミングを調整できる。
一方のダンパー規制部１５ａを有するダンパー規制ユニット２と、スパイラルロッド９を連結したロッド規制ユニット２ｂを付勢部材３５で連結し、引戸５が所定量Ｘ１より開閉方向の一方側に移動させようとしたときに付勢部材３５が引戸５を開閉方向の一方側に付勢しているので、引戸５が所定量Ｘ１より開閉方向に移動させようとしたときは、ダンパー１１が機能していない状態であるため、引戸５を引寄せる付勢部材３５の力が小さくて済む。
引戸５を開く方向と閉じる方向の両方でダンパー規制部１５ａ、１５とスパイラルロッド規制部１３ａ、１３ｂがそれぞれダンパー１１とスパイラルロッド９の回転を規制又は解除しているから、引戸５を開く方向と閉じる方向の直前でダンパー１１によって衝撃を吸収しつつ、確実に引戸５を開閉できる。
【００２９】
本発明は、上述した実施の形態に限らず、本発明の要旨を逸脱しない範囲で種々変形可能である。  
例えば、ダンパー１１の一方及び他方の端部１１ａ、１１ｂは側面視四角形状にすることに限らず、５角形や６角形のように対角の寸法よりも対向する片間の寸法が小さい他の形状としても良い。
トリガー７ａ、７ｂは磁気等により引戸の移動量を検知して、スパイラルロッド規制部１３やダンパー規制部１５を作動させるものであっても良い。
【符号の説明】
【００３０】
１    引戸装置
３    上枠（枠）
９    スパイラルロッド
１１  ダンパー
１３ａ  一方のスパイラルロッド規制部
１３ｂ  他方のスパイラルロッド規制部
１５ａ  一方のダンパー規制部
１５ｂ  他方のダンパー規制部
３５  付勢部材
【図１】
2020066945.tif 000003
【図２】
2020066945.tif 000004
【図３】
2020066945.tif 000005
【図４】
2020066945.tif 000006
【図５】
2020066945.tif 000007
【図６】
2020066945.tif 000008
【図７】
2020066945.tif 000009
【図８】
2020066945.tif 000010
【図９】
2020066945.tif 000011